(57)【特許請求の範囲】
【請求項１】
写真のネガフィルム上に記録されたシーンをテレシネを用いてビデオに変換する方法であって、
ａ）三つの既知の濃度値に対応する濃度パッチを有する少なくとも一つのグレースケール部分を含んだ参照フィルム要素のため予め決められた波形読み取りを得るため、前記テレシネをセットアップし、
ｂ）前記テレシネのセットアップのセッテイングを記憶し、
ｃ）写真のネガフィルム上のグレーカードを含むシーンをテレシネにロードし、
ｄ）前記シーンをビデオに変換するため、前記記憶されたテレシネセッテイングを用い、
ｅ）前記グレーカードのための赤、緑、及び青のビデオ電圧を決定し、そして、
ｆ）前記シーンに露光情報を提供するため、前記テレシネのセットアップに関するネガフィルム・ストックのステップ・センシトメトリック・ストリップのため前記赤、緑、及び青のビデオ電圧を測定し、センシトメトリック・ストリップ濃度に対し測定された電圧を相関させ、そして０．０２５で分割し、１８％グレーカードの正常な露光に対応する現像所目標濃度値のため２５転移点を得るため得られた値をオフセッテイングすることにより、センシトメトリック・ストリップ濃度を転移点に変換することにより得られた索引表を参照することにより、前記赤、緑、及び青のビデオ電圧を０から５０の間の転移点に変換する、
ステップを有する方法。
【請求項２】
参照要素の濃度パッチが、ブラック、グレー、及びホワイト領域を有するターゲットにフィルムを正確に露光し、そして標準カラーネガフィルム処理をした後にカラーネガ写真フィルムで得られた濃度に対応している，請求の範囲１に記載の方法。
【請求項３】
前記ターゲットのブラック領域は３％反射率領域、グレー領域は１８％反射率領域、そしてホワイト領域は９０％反射率領域である、請求の範囲２に記載の方法。
【請求項４】
参照要素のために得られた予め決められた波形読み取りは、前記３％ブラック反射率領域に対応する前記赤、緑、及び青のビデオ信号の各々のため０．０３ボルトであり、前記１８％グレー反射率領域に対応する前記赤、緑、及び青のビデオ信号の各々のため０．２５ボルトであり、前記９０％ホワイト反射率領域に対応する前記赤、緑、及び青のビデオ信号の各々のため０．５０ボルトである、請求の範囲３に記載の方法。
【請求項５】
ステップａ）にしたがってテレシネのセットアップに関するネガフィルム・ストックのステップ・センシトメトリック・ストリップのため前記赤、緑、及び青のビデオ電圧を測定し、センシトメトリック・ストリップ濃度に対し前記測定された電圧を相関させ、そして０．０２５で分割し、１８％グレーカードの正常な露光に対応する現像所目標濃度値のため２５転移点を得るため得られた値をオフセッテイングすることによりセンシトメトリック・ストリップ濃度を転移点に変換することにより得られた索引表を参照することにより、前記赤、緑、及び青のビデオ電圧が０から５０の間の転移点に変換される、請求の範囲４に記載の方法。
【請求項６】
前記グレースケール部分が前記要素上のフルフレームを満たしている、請求の範囲３に記載の方法。
【請求項７】
前記グレースケール部分が前記要素上に水平に配列されている、請求の範囲６に記載の方法。
【請求項８】
前記要素は、露光されそして処理されたカラーネガ写真フィルムを含んでいる、請求の範囲２に記載の方法。
【請求項９】
前記要素のホワイトの濃度パッチは約１．１７の赤の濃度値、約１．６９の緑の濃度値、及び約２．０８の青の濃度値を持っており、前記要素のグレーの濃度パッチは約０．８３の赤の濃度値、約１．２８の緑の濃度値、及び約１．６４の青の濃度値を持っており、そして前記要素のブラックの濃度パッチは約０．４１の赤の濃度値、約０．７４の緑の濃度値、及び約１．０５の青の濃度値を持っている、請求の範囲３に記載の方法。
【請求項１０】
前記グレースケール部分が前記要素上のフルフレームを満たしている、請求の範囲９に記載の方法。
【請求項１１】
テレシネ変換装置とともに用いる参照フィルム要素であって、該要素はグレースケール部分を含んでおり、グレースケール部分は本質的に３％反射率ブラック領域、１８％反射率グレー領域、そして９０％反射率ホワイト領域を有するターゲットに前記フィルムを正確に露光し、そして標準カラーネガフィルム処理の後にカラーネガ写真フィルムで得られた濃度に対応する三つの濃度パッチより成る要素。
【請求項１２】
前記グレースケール部分が前記フィルム上のフルフレームを満たしている、請求の範囲１１に記載の要素。
【請求項１３】
前記グレースケール部分が前記要素上に水平に配列されている、請求の範囲１２に記載の要素。
【請求項１４】
露光され、そして処理されたカラーネガ写真フィルムを含んでいる、請求の範囲１１に記載の要素。
【請求項１５】
前記要素のホワイト濃度パッチは約１．１７の赤の濃度値、約１．６９の緑の濃度値、及び約２．０８の青の濃度値を持っており、前記要素のグレー濃度パッチは約０．８３の赤の濃度値、約１．２８の緑の濃度値、及び約１．６４の青の濃度値を持っており、そして前記要素のブラック濃度パッチは約０．４１の赤の濃度値、約０．７４の緑の濃度値、及び約１．０５の青の濃度値を持っている、請求の範囲１１に記載の要素。
【請求項１６】
前記グレースケール部分が前記要素上のフルフレームを満たしている、請求の範囲１５に記載の要素。
【請求項１７】
前記グレースケール部分が前記要素上に水平に配列されている、請求の範囲１６に記載の要素。
【請求項１８】
ネガフィルム上に記録されたグレーカードを含むシーンを、テレシネを用いてビデオに変換している間に露光情報を提供する
システムであって、該システムは、
三つの既知の濃度値に対応する濃度パッチを有する少なくとも一つのグレースケール部分を含んだ参照フィルム要素で、該要素は、予め決められた波形読み取りが写真要素の前記グレースケール部分のために得られるようにするため、前記テレシネをセットアップするために用いられ、
前記グレーカードのため赤、緑、及び青のビデオ電圧を決定し、そしてこれらの電圧を０と５０の間の転移点に変換するための変換手段であって、前記参照要素を有するテレシネに関するネガフィルム・ストックのステップ・センシトメトリック・ストリップのため前記赤、緑、及び青のビデオ電圧を測定し、センシトメトリック・ストリップ濃度に対し測定された電圧を相関させ、そして０．０２５で分割し、１８％グレーカードの正常な露光に対応する現像所目標濃度値のため２５転移点を得るため得られた値をオフセッテイングすることにより得られた索引表を有する変換手段、及び、
前記シーンのための転移点を表示するための表示手段、
を有するシステム。
【請求項１９】
前記参照要素の濃度パッチは、３％反射率ブラック、１８％反射率グレー、及び９０％反射率ホワイト領域を有するターゲットに前記フィルムを正確に露光し、そして標準カラーネガフィルム処理の後にカラーネガ写真フィルムで得られた濃度に対応する、請求の範囲１８に記載のシステム。
【発明の詳細な説明】
発明の分野
本発明はテレシネの使用に係る改良に関し、特に動画フィルムのビデオへのテレシネ変換の制御に関する。
発明の背景
フィルムデイリイ（film dailies）又はラッシュ（rushes）は、動画が撮影されるように従来作成されていることはよく知られている。これらデイリイまたはラッシュは処理され、デイレクター、プロデユーサー、フィルム編集者、その他シーンショットが受け入れられるものかどうかを決定するため制作に係わって働いている者によって検査される。制作チームの各人は、チームにおけるそれぞれの役割に関する異なった要素のためにデイリイを評価する。
シーンが満足な露光で撮影されたかどうか決めるため映画撮影技師（cinematographer/director of photography）を助ける「プリンターライト（Printer Light）」情報も提供される。このプリンターライト情報は、現像所目標濃度（laboratory aim densities）でプリントを作成するために求められる従来の動画フィルムプリンターのセッテイングから決定される。この情報はシーンからの白色光を三つの要素、赤、緑、及び青に分離するダイクロイックフィルタを通過させることにより得られる。この三つの光の要素は、前記光の赤、緑、及び青の要素の強度に対応する濃度が測定でき，そして「理想的」露光に対応する標準的濃度と比較されるテストフィルムストリップを露光するために用いられる。テストフィルムストリップ上の赤、緑、及び青の光要素により作られた濃度は、シーンが記録されたオリジナルフィルムに与えられる露光の指示を与える。プリンターライト情報は、０と５０の間の値を提供し、中立の（neutral）値は２５、２５、２５であり、理想的な露出に対応する。中立値より大きい又は小さいプリンターライト値は、それぞれ露出されたシーンより大きく、又は小さく、各プリンターライトユニットは対数露光の0.025ユニットに対応する。
しかしながら、動画ネガフィルムをビデオに変換する需要は増大しており、フィルムはプリントされず、特にテレビのために作られたほとんどのプログラム、例えばエピソード風ショウ、その週の映画、及びコマーシャルは、事前に見せる前にビデオテープに変換される。テレシネ機械はこの変換を行うことを可能にしている。さらに、ビデオデイリイはフィルムデイリイまたはラッシュに取って代わり、非線型編集技術は従来のフィルム編集に取って代わっている。
ネガフィルムをビデオテープに変換する時、フィルムの変換を最適にするため、カラリスト（colorist）、テレシネのオペレータは、テレシネのセッテイング、特にガンマ（又はコントラスト）、リフト（又はシーンのブラック領域の詳細）、及びゲイン（又は明るさ）を調整する必要がある。これはフィルムが正しく露光されていない、カラーバランスが正しくなかった、その他、そして調整がされなければならない場合、時間の浪費になるかもしれない。テレシネ機器のセットアップとメンテナンスを助けるために設計されたいくつかのフィルムテストのターゲットが開発され、それによりオペレーターにビデオ変換期間にフィルムの名目上の開始点を与える。イーストマン・コダック・カンパニーのテレシネ・アナリシス・フィルム（ＴＡＦ）のようなターゲットは、典型的にカラー・バー・テスト・パターン及び中立グレースケールを含む。
発明により解決すべき問題
ビデオデイリイがフィルムデイリイに取って代わるとともに、制作のための写真のデイレクターは、プリンターライト情報がフィルムデイリイから前もって得られたと類似の方法で、テレシネ変換から直接カメラ露光に関する情報を提供される必要がある。シーン露光は、先行技術のフィルムテストターゲットでセットアップしたテレシネになされたテレシネ変換から見積もることができるが、プリンターライト情報に似た正確な方法で、フィルムネガのテレシネ変換から直接シーン露光情報を提供する予め利用可能なシステムはない。
発明の概要
それゆえ、本発明の目的は、ネガフィルムからビデオへシーン（scene）を変換する方法を提供することであり、特に、このような変換に基づくプリンターライト情報に似たシーン露光情報を提供することである。
本発明の更なる目的は、テレシネ変換システムと共に用いることができ、ネガフィルムをビデオに変換し、そしてシーン露光情報を提供する、テレシネ参照要素又は基準要素（reference element）を提供することである。
本発明の観点によると、テレシネを用いて写真ネガフィルム上に記録されたシーンをビデオに変換する方法が提供され、この方法は以下の段階を含んでいる。
ａ）三つの既知の濃度値に対応する濃度パッチ（density patch）を有する少なくとも一つのグレースケール部分を含んだ参照要素のため、予め決められた波形読み取りを得るため、テレシネをセットアップし、
ｂ）テレシネのセットアップのセッテイングを記憶し（store）し、
ｃ）写真ネガフィルム上のシーンを、そのシーンがグレーカードを含むテレシネにロードし、
ｄ）シーンをビデオに変換するため、記憶されたテレシネセッテイングを用い、
ｅ）グレーカードのための赤、緑、及び青のビデオ電圧を決定し、そして、
ｆ）そのシーンに露光情報を提供するため、赤、緑、及び青のビデオ電圧を０と５０の間の転移点（Transfer Points）に変換する。
本発明の好ましい実施形態において、参照要素は、ブラック、グレー、及びホワイトの領域を含むターゲットに正確にフィルムを露光し、そして標準写真処理をした後にカラーネガフィルムで得られる濃度に対応する濃度パッチを有している。更に好ましくは、ターゲットのブラック領域は３％の反射率、グレー領域は１８％の反射率、そしてホワイト領域は９０％の反射率である。都合良いことに、グレースケール部分は要素上のフルフレームを満たしている。参照要素の好ましい実施形態において、グレースケール部分はその上に水平に配置されている。
赤、緑、及び青のビデオ電圧は、デイリイ又はテストプリンとフィルムのために得られたプリンターライト値に類似の露光情報を提供するため、０と５０の間の転移点に変換される。
本発明の別の実施形態によると、テレシネを用いてネガフィルム上に記録された、グレーカードを含んだシーンをビデオに変換している間、露光情報を提供するシステムが提供され、このシステムは、
上記参照要素、該要素は、予め決められた波形の読み取りが該要素のグレースケール部分のために得られるようにするため、テレシネをセットアップするために用いられ、
グレーカードのため赤、緑、及び青のビデオ電圧を決定し、これらの電圧を０と５０の間の転移点に変換する変換手段、及び、
シーンのために転移点を表示する表示手段を有している。
発明の有利な効果
本発明によると、カラリストと映画撮影技師の間のコミュニケーションを容易にするプリンターライト型の情報に類似の報告システムが提供される。更に、リリースプリント上又はビデオ変換上のライトセッテイングの結果を予測することが可能なため、露光を訂正するための支援が提供される。更に、ネガフィルムをビデオテープに変換するテレシネのセットアップ手順は、実質的にすべてのネガフィルムストックの変換のため確かな開始点を提供し、簡単になる。
【図面の簡単な説明】
本発明のより良い理解のため、例示の方法としてのみ添付の図面を参照する。
図１は、本発明による参照要素を示したものであり、
図２は、図１の参照要素に組み入れられた三つのポイントを示す緑のセンシトメトリック曲線（sensitometric curve）を示したものである。
発明の詳細な説明
処理されたカラーネガフィルムのトーンスケールは、テレシネを用いてフィルムをビデオに変換するとき、赤、緑、そして青の三つのセットの濃度値により規定されることが決められている。三つの濃度に対応する赤、緑、そして青の電圧の波形モニター読み取りを規定することにより、各テレシネ機械はカラーネガフィルムの変換のための共通スタンダードに調整することができ、下記のようなテレシネ変換から直接シーン露光条件を決定することが可能になる。
最も重要な濃度値は、ライテイングセットアップ（lighting set-up）において映画撮影技師により共通に用いられる標準１８％の「グレーカード」の正確な露光に対応するものである。本発明の好ましい実施形態によると、テレシネ内のフィルム特性の直線部分を映す（mirror）ため、９０％反射率と３％反射率に対応する二つの他の濃度値が１８％反射率と共に用いられる。これらの値は、シーン露光条件の決定のためにフィルムストック内で利用可能なラチチュード（latitude）の最大の利点を取り入れることを許容する。正反射性の反射（specular reflections）及び深いブラックは、上記反射の範囲外に位置するかもしれないことが評価されるが、これらはテレシネ機械において利用可能なフルレンジを用いてテレシネのカラリスト又はオペレータにより探ることができる。
本発明の実施形態によると、図１は、既知の濃度（densities）がその上に形成された三つのパッチ１２、１４、１６を持ったフィルムストリップの長さを有する参照要素１０を示している。要素１０は、好ましくは、イーストマンＥＸＲ２００Ｔネガフィルム（イーストマン・コダック・カンパニー）のような動画ネガ写真フィルムストリップ（例えば、３５mm、又は１６mm）であり、それは特定の既知の濃度値（density value）を持ったパッチを提供するため、露光されそして処理されている。パッチ１２、１４、１６は好ましくは、それらが完全なフレームを満たすようにするため、即ち、３５mmフィルムのためにパッチは全体でおおよそ２２mmと１６mmの総体的寸法を持ち、各パッチはおおよそ５mmの幅を持っており、要素１０上に配列される。上記好ましい実施形態による各パッチ１２、１４、１６は、ネガ作業用写真フィルム（negative working photographic film）を有し、それぞれ３％の反射率、１８％の反射率、及び９０％の反射率のパッチを持ったターゲットを正確に露光することにより形成された水平グレースケール、及び予め決められた既知の濃度値を持ったパッチを形成するための標準写真処理（コダックＨ−２４マニュアル、「イーストマン動画フィルムを処理するためのマニュアル」に記載されているようコダックＥＣＮ−２処理のような）を有している。上記のように、グレースケール値は、図２に示されたように正常に露光されたイーストマンＥＸＲフィルムストックの特性であるグリーンのセンシトメトリック曲線の直線部分を映すために選ばれる。一方、参照フィルムとして正確に露光されそして処理されたネガ作業用写真フィルムを使うことが好ましく、例えば、ネガフィルムの正確な露光と処理により得られたものに対応する既知の濃度で支持体上の染めた（dyed）又は色付けされたパッチをプリントすることにより、参照要素は直接形成することもできる。
イーストマンＥＸＲ２００Ｔネガフィルムから形成された好ましい実施形態の参照要素として赤、緑、及び青と関連するパッチ１２、１４、１６の各々のステータスＭ濃度が表１に示されている。
0003955630.tif 000002
表１は各パッチの赤、緑、及び青の好ましい値のセットを与えているが、他の濃度値は要素が作られている特別のターゲットのために選択された反射率に従い利用することができることは容易に評価できる。
類似の参照要素（図示されておらず）も、スーパー１６mm動画ネガフィルムストックのために作成できる。
各参照要素１０は、２００スピードフィルムのため表２に与えられているような正確な露光パラメータのセット、及び標準ＥＣＮ−２動画フィルム写真処理を用いて、その上にグレースケールを撮影する（shooting）ことにより作成できる。例は３６mm及び１６mmフィルムストックのために与えられている。
0003955630.tif 000003
当然、図１の参照要素１０は好ましい実施形態によるパッチ１２、１４、１６を持った一つのグレースケール配列を示しているのみであるが、テレシネオペレータによる容易なアクセスのため、たくさんのこのような配列が要素１０に提供できる。
参照要素１０によりテレシネをセットアップするため、正常なやり方でそれはテレシネにロードされる。リフト（ブラック領域における詳細）、ゲイン（明るさ）、及びガンマ（コントラスト）の一次的制御、及び一次的カラー訂正システムのみを用いて、三つのパッチ１２、１４、１６が波形モニタにおいて一様な（equal）赤、緑、及び青の値を与えるようにするため、制御は予め決められた波形モニター読み取りを達成するため調整される。マイナーなカラー訂正調整はセッテイングをうまく調整するために必要かもしれない。セッテイングはそのとき、いつでも呼び出せるようにテレシネに記憶される。要素１０はそのときテレシネから取り除くことが出来、退色しないように適当な方法で記憶することができる。
本発明の参照要素は、参照濃度パッチがデンシトメータを調整するために用いられるのと類似のやり方でテレシネを調整するために用いられる。予め決められた波形モニター値（参照ビデオ電圧）は、三つの既知の濃度値に対応するグレースケール濃度パッチから得られた赤、緑、及び青のビデオ信号のために割り当てられる。３％ブラック、１８％グレー、及び９０％ホワイト反射率に対応した好ましい三つの濃度パッチ１２、１４、及び１６と関連した好ましい赤、緑、及び青の参照ビデオ電圧は、表３に示されている。
0003955630.tif 000004
このように、二つのテレシネが要素１０を用いてセットアップされ、そして同一の（identical）赤、緑、及び青のビデオ信号に同一の濃度を変換する。これを確かめる実験は、Rank Cintel Limitedにより作られた四つの異なったテレシネ機械を用いて行われた。各機械は異なった国、即ち、ベルギー、フランス、連合王国、及びアメリカ合衆国に配置されている。これらの機械は表４では、Ｗ、Ｘ、Ｙ、及びＺと示されている。
0003955630.tif 000005
各テレシネ機械は本発明の要素１０を用いてセットアップされ、赤、緑、及び青のビデオ電圧は、下記のイーストマンＥＸＲネガフィルムストックの２１ステップ・センシトメトリック・ストリップのために測定された。
ａ）イーストマンＥＸＲ  ５０Ｄ  ５２４５
ｂ）イーストマンＥＸＲ  １００Ｔ  ５２４８
ｃ）イーストマンＥＸＲ  ２００Ｔ  ５２８７
ｄ）イーストマンＥＸＲ  ２００Ｔ  ５２９３
ｅ）イーストマンＥＸＲ  ５００Ｔ  ５２９６
ｆ）イーストマンＥＸＲ  ５００Ｔ  ５２９８
本発明によりセットアップされた四つの異なったテレシネ機械で測定された、フィルムストックｅ）の２１ステップのための赤のビデオ電圧は、表５に示されている。
0003955630.tif 000006
センシトメトリック・ストリップの赤、緑、及び青のビデオ電圧が測定され、ビデオ電圧とセンシトメトリック・ストリップ濃度（一つの表は各テレシネ及び各ネガフィルムストックのために得られる）との間の関係を設定した一連の表が用意された。濃度は、0.025で分割し、そして１８％グレーカードの正常な露光に対応する現像所が目標とする濃度値のために２５転移点（Transfer Points）を随意に得るために得られた値をオフセッテイングすることにより転移点に変換された。これはネガフィルムが実際にプリントされた時に予め得られたプリンターライトのための値に対応する転移点を作るために行われる。
上記各フィルムストックのために、表は各テレシネのために得られた。転移点が大変近い結果として、平均化された結果の単一の表が各フィルムストックのために得られた。
単一の最終的な表を提供するため異なったフィルムストックの結果を平均化することは、受容可能な制限、即ち、±２転移点内である小さな正確なロス（small accuracy loss）をもたらすことが追加的に見いだされた。この方法で決定された平均化された転移点の表は、表６に示されている。
0003955630.tif 000007
表６から分かるように、転移点は赤、緑、及び青のビデオ電圧と線型に対応していない。したがって、正確なシーン露光情報は電圧からだけでは容易に利用可能ではない。表６に表された露光（ストップ）値は、２１ステップ・センシトメトリック・ストリップのステップに対応している。本発明によると、正確なシーン露光情報は、ストリップ・ステップのための既知の露光範囲に関してセンシトメトリック・ストリップの変化する濃度に対応する電圧に転移点を割り当てることにより得られる。一方、表６はフィルムとテレシネの変化のために得られた平均化された転移点を表し、個々のフィルム及び／又は個々のテレシネのための変換表も、もし露光情報を提供することが望むなら用いることができる。ほとんどのネガフィルムのための露光情報を便利に提供する平均化された変換表と組み合わせて、同様に特定のフィルムのための正確な露光情報を提供する、別個に独立して得られた変換表と組み合わせて、単一の参照要素を用いることができるということは、本発明の利点である。
本発明による参照要素を用いてセットアップされたどの二つのテレシネ機械も、転移点は同じである。これは現像所の特性の傾向であるプリンターライトと対照を成している。
転移点変換表を決定して、それは二つの方法においてシーンのために露光情報を提供するため用いることができる。ｉ）もし１８％グレーカードがシーンの最初に撮られたら直接に、又はii）露光レベル表を得るため。
上記ｉ）の場合、１８％グレーカードはシーンの最初に含めなければならない。ネガフィルムはテレシネにロードされ、最初のシーンのためにグレーカードを配置するため進められる。グレーカードは正常に各ロールのヘッド、又は各新しいライテイングセットアップのヘッド、又は適当な予め決められたインタバルに含められる。参照要素１０によるセッテイングはメモリから呼び戻され、そして制御の変化なくして、シーンにおいて１８％グレーカードに対応する赤、緑、及び青のビデオ電圧が読み取られる。これらビデオ電圧は索引表としての表６（又は、個々のフィルム及び／又は個々のテレシネのために特定化された索引表）を用いて、直接転移点及び映画撮影技師にフィードバックされる情報に変換できる。このように、映画撮影技師はプリンターライト情報とほぼ同じ方法でフィルムの露光を評価することができる。カラリストは求められたようにネガフィルムを変換する。例えば、高いコントラストと明るいイメージは編集を容易にするため変換できる。
本発明のさらなる実施形態によると、グレーカードがシーンに含まれるとき、上記のような波形モニタから転移点を自動的に決めるシステムが提供される。この様な実施形態の一つによると、索引表又は変換手段として上記機能として得られた索引表又は表、これらはビデオ電圧を転移点に直接変換し、テレシネオペレータにこのような変換点の値を表示するため、従来の表示手段（ＬＥＤ表示のような）と組み合わせて用いることができる。
もしグレーカードがシーンの最初に使われなかったなら、ケースii）、満足する読み取りが得られなかった場合シーンに置き忘れられ又は置かれたため、表６から得られる表７は、カラリストが映画撮影技師のための露光レベル情報を提供するのを可能にするために用いられる。
0003955630.tif 000008
表７を用いるため、カラリストは開始点（前に述べたような）として要素１０から記憶されたセッテイングを用いて目により最初のシーンを次第に色を変えなければならない。セッテイングは記録される。ネガフィルムはテレシネ及びテレシネにロードされた本発明の参照要素から除去される（unloaded）。シーンに適用されるセッテイングは、参照要素に適用され、１８％グレーパッチのグリーンビデオ電圧が測定される。表７は露光レベルを決めるために用いられる。
表７、ケースｉｉ）を用いた方法は、−１．５から＋１．５の制限された露光レベルがあるように、表６、ケースｉ）を用いた方法のように正確ではない。制限はより高く本質的に包含された結果である。即ち、セッテイングは特定のカラリストが好むものに従って得られる。このことはあまりに多い露光のし過ぎ、又は露光不足であったイメージは、異なったカラリストにより異なった方法で修正されることを意味する。
ネガフィルムに取り付けられたリーダー上に、本発明による参照要素を含めることは可能である。これはシーンの中にグレーカードが存在しないとき、プリンターライト情報を得るとき要素をリロードする必要がないという利点を有している。
本発明の要素の追加の利点は、ネガフィルム上にシーン撮影のグレーデイングのための開始点を提供するために用いることができることである。これは時間を節約し、テレシネ変換の結果に整合性（consistency）を加える。本発明の参照要素は、テレシネ機械がイーストマンＥＸＲネガフィルムストックのほとんどを十分に変換することを可能にする。適切なトーンスケール再生が確実にされ、これらのフィルムストックの中立バランスに対する顕著に良好なカラーは、カラー修正でも全くわずかであることを意味している。
本発明による参照要素のさらなる利点は、三つの水平濃度パッチがテレシネの濃淡（shading）問題をチェックするために用いることができることである。しかしながら、濃度パッチが写真要素上に垂直にも配列できることは評価される。
本発明は個々の好ましい実施形態に関し詳細に記載されたが、変更及び修正は本発明の精神及び範囲内で行うことができる。
【図１】
0003955630.tif 000009
【図２】
0003955630.tif 000010